(57)【特許請求の範囲】
【請求項１】
背ボトムを起倒可能としたリクライニングベッドで用いるマットレスにおいて、
上層側マットレス構成体と下層側マットレス構成体とを上下に層状に積層するとともに、上層側マットレス構成体の左右側部と下層側マットレス構成体の左右側部とを頭頂部から所定距離離れた位置と足先部から所定距離離れた位置との間で連結し、
前記頭頂部から所定距離離れた位置は、背ボトムの基端部の回転軸よりも頭頂部側としたことを特徴とするマットレス。
【請求項２】
背ボトムを起倒可能としたリクライニングベッドで用いるマットレスにおいて、
上層側マットレス構成体と下層側マットレス構成体とを上下に層状に積層するとともに、上層側マットレス構成体の左右側部と下層側マットレス構成体の左右側部とを頭頂部から所定距離離れた位置と足先部から所定距離離れた位置との間で連結し、
前記足先部から所定距離離れた位置は、起倒可能な上腿ボトムの先端部に回動可能に接続した下腿ボトムの基端部よりも反足先部側としたことを特徴とするマットレス。
【請求項３】
背ボトムを起倒可能としたリクライニングベッドで用いるマットレスにおいて、
上層側マットレス構成体と下層側マットレス構成体とを上下に層状に積層するとともに、上層側マットレス構成体の左右側部と下層側マットレス構成体の左右側部とを頭頂部から所定距離離れた位置と足先部から所定距離離れた位置との間で連結し、
前記頭頂部から所定距離離れた位置は、背ボトムの基端部の回転軸よりも頭頂部側とし、
前記足先部から所定距離離れた位置は、起倒可能な上腿ボトムの先端部に回動可能に接続した下腿ボトムの基端部よりも反足先部側としたことを特徴とするマットレス。
【請求項４】
前記上層側マットレス構成体と下層側マットレス構成体とを切離可能に連結したことを特徴とする請求項１〜請求項３のいずれかに記載のマットレス。
【発明の詳細な説明】
【技術分野】
【０００１】
本発明は、マットレスに関するものであり、特に、背ボトムを起倒可能としたリクライニングベッドで用いるマットレスに関するものである。
【背景技術】
【０００２】
従来より、介護用等に多用されるベッドにおいては、ベッドに仰臥位で横臥している人の背部を支持するための背ボトムを基台に起倒可能に取付けるとともに、基台と背ボトムとの間に駆動機構を介設したリクライニングベッドが広く利用されている（たとえば、特許文献１参照。）。
【０００３】
このリクライニングベッドでは、駆動機構を駆動させて背ボトムを基台に対して起立させることによって背ボトムがマットレスを介して仰臥位で横臥している人の背部を傾斜状に支持し、ベッド上で上半身を起こした姿勢に保持できるようにしている。
【先行技術文献】
【特許文献】
【０００４】
【特許文献１】特開２００４−５５７号公報
【発明の概要】
【発明が解決しようとする課題】
【０００５】
ところが、図６（ａ）に示すように、上記従来のリクライニングベッド101では、基台102に対して背ボトム103を徐々に起立させていくと、それに伴って仰臥位で横臥している人の上半身も徐々に起こされていくが、背ボトム103の回転中心（基端部）とマットレス104の回転中心とが一致しておらず、背ボトム103の回転中心よりもマットレス104の回転中心の方が内側に位置することから、マットレス104の回転中心付近においてマットレス104が歪んでしまい、横臥している人の背部を圧迫して不快感を与えてしまっていた。
【０００６】
これは、寝心地を良好にするためにマットレス104の厚みを厚くするほど背ボトム103の回転中心とマットレス104の回転中心との距離が長くなって歪みが増大していた。
【０００７】
そのため、図６（ｂ）に示すように、マットレス104を単に厚くするのではなく、複数層に積層したマットレス105,106を使用することも考えられるが、複数層に積層したマットレス105,106では、図６（ｂ）に示すように、背ボトム103の起立時には上層のマットレス105と下層のマットレス106とがずれることで歪みの発生を抑えることができるものの、図６（ｃ）に示すように、背ボトム103の起倒を繰返し行うと背ボトム103を倒伏させても上下層のマットレス105,106のずれが元に戻らず、横臥している人の背部を圧迫して不快感を与えてしまうおそれがあった。
【課題を解決するための手段】
【０００８】
そこで、請求項１に係る本発明では、背ボトムを起倒可能としたリクライニングベッドで用いるマットレスにおいて、上層側マットレス構成体と下層側マットレス構成体とを上下に層状に積層するとともに、上層側マットレス構成体の左右側部と下層側マットレス構成体の左右側部とを頭頂部から所定距離離れた位置と足先部から所定距離離れた位置との間で連結し、前記頭頂部から所定距離離れた位置は、背ボトムの基端部の回転軸よりも頭頂部側とすることにした。
【０００９】
また、請求項２に係る本発明では、背ボトムを起倒可能としたリクライニングベッドで用いるマットレスにおいて、上層側マットレス構成体と下層側マットレス構成体とを上下に層状に積層するとともに、上層側マットレス構成体の左右側部と下層側マットレス構成体の左右側部とを頭頂部から所定距離離れた位置と足先部から所定距離離れた位置との間で連結し、前記足先部から所定距離離れた位置は、起倒可能な上腿ボトムの先端部に回動可能に接続した下腿ボトムの基端部よりも反足先部側とすることにした。
【００１０】
また、請求項３に係る本発明では、背ボトムを起倒可能としたリクライニングベッドで用いるマットレスにおいて、上層側マットレス構成体と下層側マットレス構成体とを上下に層状に積層するとともに、上層側マットレス構成体の左右側部と下層側マットレス構成体の左右側部とを頭頂部から所定距離離れた位置と足先部から所定距離離れた位置との間で連結し、前記頭頂部から所定距離離れた位置は、背ボトムの基端部の回転軸よりも頭頂部側とし、前記足先部から所定距離離れた位置は、起倒可能な上腿ボトムの先端部に回動可能に接続した下腿ボトムの基端部よりも反足先部側とすることにした。
【００１１】
また、請求項４に係る本発明では、前記請求項１〜請求項３のいずれかに係る本発明において、前記上層側マットレス構成体と下層側マットレス構成体とを切離可能に連結することにした。
【発明の効果】
【００１２】
そして、本発明では、以下に記載する効果を奏する。
【００１３】
すなわち、本発明では、背ボトムを起倒可能としたリクライニングベッドで用いるマットレスにおいて、上層側マットレス構成体と下層側マットレス構成体とを上下に層状に積層するとともに、上層側マットレス構成体の左右側部と下層側マットレス構成体の左右側部とを頭頂部から所定距離離れた位置と足先部から所定距離離れた位置との間で連結しているために、背ボトムの起立時に上下層側マットレス構成体がずれることで歪みの発生を抑制することができるとともに、背ボトムの倒伏時に上下層側マットレス構成体のずれを元通りに復元させることができるので、横臥している人の背部を圧迫することなくリクライニングベッドの使用感を向上させることができる。
【００１４】
特に、上層側マットレス構成体と下層側マットレス構成体とを切離可能に連結した場合には、上下層側マットレス構成体を分離してそれぞれ交換や清掃などのメンテナンスを容易に行うことができる。
【００１５】
また、頭頂部から所定距離離れた位置を背ボトムの基端部よりも頭頂部側とした場合には、背ボトムの基端部よりも頭頂部側での歪みの発生を確実に防止することができる。
【００１６】
また、足先部から所定距離離れた位置を起倒可能な上腿ボトムの先端部に回動可能に接続した下腿ボトムの基端部よりも反足先部側とした場合には、上下腿ボトムを起倒可能としたリクライニングベッドにおいても下腿ボトムの基端部よりも足先部側での歪みの発生を確実に防止することができる。
【図面の簡単な説明】
【００１７】
【図１】本発明に係るマットレスを示す平面図。
【図２】同側面図。
【図３】上下層側マットレス構成体を示す側面図。
【図４】同一部切欠拡大側面図。
【図５】同動作説明図。
【図６】従来のマットレスを示す動作説明図。
【発明を実施するための形態】
【００１８】
以下に、本発明に係るマットレスの具体的な構成について図面を参照しながら説明する。
【００１９】
図１及び図２に示すように、本発明に係るマットレス１は、リクライニングベッド２の上部に載置して使用される。
まず、リクライニングベッド２の構成について説明すると、リクライニングベッド２は、床に設置するための基台３と、横臥している人の身体を支持するための受台４とで構成している。
【００２０】
基台３は、矩形枠状のメインフレーム５の前後端下部（図１及び図２において左右端下部）に脚体6,7を取付けるとともに、メインフレーム５の前端部に矩形板状のヘッドボード８を取付け、メインフレーム５の後端部に矩形板状のフットボード９を取付けている。
【００２１】
受台４は、メインフレーム５の前側中途部に、仰臥位で横臥している人の背部を支持するための背ボトム10の基端部を回転軸11を介して回動自在に取付け、メインフレーム５の中央部前側に、横臥している人の尻部を支持するための尻ボトム12を固定し、メインフレーム５の中央部後側に、横臥している人の上腿部を支持するための上腿ボトム13の基端部を回動自在に取付け、上腿ボトム13の先端部に横臥している人の下腿部を支持するための下腿ボトム14の基端部を回動自在に取付けている。
【００２２】
そして、背ボトム10には、駆動機構（図示省略）を接続し、背ボトム10と上腿ボトム13との間には、連動機構（図示省略）を接続しており、駆動機構によって背ボトム10を所定の角度に起倒させることができるとともに、背ボトム10の起倒に連動して上腿ボトム13及び下腿ボトム14が起倒するようにしている。
【００２３】
次に、マットレス１の構成について説明すると、マットレス１は、図３及び図４に示すように、伸縮性を有する矩形袋状の外カバー15の内部に矩形板状の上層側マットレス構成体16と下層側マットレス構成体17とを上下に層状に積層した状態で収容している。上層側マットレス構成体16と下層側マットレス構成体17とは、左右側部において連結体18で切離可能に連結されている。
【００２４】
上層側マットレス構成体16は、伸縮性を有する矩形袋状の上層側内カバー19の内部に矩形板状の上層側上マット20と上層側下マット21とを上下に層状に積層した状態で収容している。
【００２５】
ここで、上層側上マット20は、体圧分散効果が得られるプロファイル加工を施した通気性や洗浄性などに優れるウレタン製のものを使用し、上層側下マット21は、体圧分散性や通気性や洗浄性などに優れるポリエチレン製のものを使用し、屈曲部（背ボトム10の基端部、上腿ボトム13の基端部、下腿ボトム14の基端部）に左右幅方向に伸延する凹状のスリット22を形成して屈曲性を向上させている。
【００２６】
下層側マットレス構成体17は、伸縮性を有する矩形袋状の下層側内カバー23の内部に矩形板状の下層側マット24を収容している。
【００２７】
ここで、下層側マット24は、耐久性や洗浄性などに優れる硬綿製のものを使用し、左右幅方向に伸延する凹状のスリット25を所定の間隔をあけて形成して屈曲性を向上させている。なお、下層側マット24よりも上層側上下マット20,21の圧縮時の残留歪みが小さくなるようにして、横臥している人の背中を直接的に押圧する上層側マットレス構成体16に生じる歪みを下層側マットレス構成体17よりも小さくなるようにしている。
【００２８】
連結体18は、上層側マットレス構成体16の上層側内カバー19の左右側部に前後に伸延する帯状の連結片26の上辺を取付ける一方、下層側マットレス構成体17の下層側内カバー23の左右側部に前後に伸延する帯状の連結片27の下辺を取付け、連結片26の下辺と連結片27の上辺とをファスナー28で切離可能に連結している。
【００２９】
この連結体18は、図３に示すように、リクライニングベッド２の受台４の上部にマットレス１を載置した状態において、頭頂部から所定距離（L1）だけ離れた位置と足先部から所定距離（L2）だけ離れた位置との間で上層側マットレス構成体16の左右側部と下層側マットレス構成体17の左右側部とを接続している。
【００３０】
特に、ここでは、頭頂部からの所定距離（L1）を背ボトム10の長さ（先端部から基端部の距離）（L3）よりも短くして、頭頂部から所定距離（L1）だけ離れた位置が、背ボトム10の基端部よりも頭頂部側となるようにしている。
【００３１】
また、足先部からの所定距離（L2）を下腿ボトム14の長さ（先端部から基端部の距離）（L4）よりも長くして、足先部から所定距離（L2）だけ離れた位置が、下腿ボトム14の基端部よりも反足先部側（足先部側の反対側であって上腿ボトム13の基端部と先端部との間）となるようにしている。
【００３２】
マットレス１は、以上に説明したように構成しており、図５（ａ）に示すように、リクライニングベッド２の背ボトム10を起立させると、背ボトム10の基端部においてマットレス１が屈曲し、その際に、下層側マットレス構成体17に対して上層側マットレス構成体16がずれる。そのため、マットレス１の屈曲部において歪みの発生が抑制される。
【００３３】
その後、図５（ｂ）に示すように、リクライニングベッド２の背ボトム10を倒伏させると、上層側マットレス構成体16と下層側マットレス構成体17とが連結体18で連結されているために、下層側マットレス構成体17に対して上層側マットレス構成体16が逆方向にずらす力が作用して上下層側マットレス構成体16,17のずれを元通りに復元させる。
【００３４】
なお、上腿ボトム13及び下腿ボトム14を起倒させた場合にも同様に、起立時にずれが生じて屈曲部での歪みの発生が抑制されるとともに、倒伏時にずれが復元される。
【００３５】
その際に、背ボトム10が起倒する部分では、背ボトム10の基端部（回転中心）よりも内側でマットレス１が谷折状に折曲されるために、背ボトム10の基端部よりも頭頂部側まで連結体18で上下層マットレス構成体16,17を連結していないと、マットレス１が内側に撓んで横臥している人の背部を圧迫してしまう。そのため、頭頂部から所定距離（L1）だけ離れた位置を、背ボトム10の基端部よりも頭頂部側にしている。
【００３６】
一方、上腿ボトム13に対して下腿ボトム14が起倒する部分では、下腿ボトム14の基端部（回転中心）よりも外側でマットレス１が山折状に折曲されるために、下腿ボトム14の基端部よりも足先部側まで連結体18で上下層マットレス構成体16,17を連結していると、マットレス１が上腿ボトム13及び下腿ボトム14に沿って円滑に折曲できずに突っ張った状態となってしまう。そのため、足先部から所定距離（L2）だけ離れた位置を、下腿ボトム14の基端部よりも反足先部側にしている。
【００３７】
以上に説明したように、上記マットレス１は、上層側マットレス構成体16と下層側マットレス構成体17とを上下に層状に積層するとともに、上層側マットレス構成体16の左右側部と下層側マットレス構成体17の左右側部とを頭頂部から所定距離（L1）離れた位置と足先部から所定距離（L2）離れた位置との間で連結した構成としている。
【００３８】
そのため、上記構成のマットレス１では、背ボトム10の起立時に上下層側マットレス構成体16,17がずれることで歪みの発生を抑制することができるとともに、背ボトム10の倒伏時に上下層側マットレス構成体16,17のずれを元通りに復元させることができ、これにより、横臥している人の背部を圧迫することなくリクライニングベッド２（マットレス１）の使用感を向上させることができる。
【００３９】
また、上記マットレス１は、上層側マットレス構成体16と下層側マットレス構成体17とを切離可能に連結した構成としている。
【００４０】
そのため、上記構成のマットレス１では、上下層側マットレス構成体16,17を分離してそれぞれ交換や清掃などのメンテナンスを容易に行うことができる。
【００４１】
また、上記マットレス１は、頭頂部から所定距離（L1）離れた位置を背ボトム10の基端部よりも頭頂部側としている。
【００４２】
そのため、上記構成のマットレス１では、背ボトム10の基端部よりも頭頂部側での歪みの発生を確実に防止することができる。
【００４３】
さらに、上記マットレス１は、足先部から所定距離（L2）離れた位置を起倒可能な上腿ボトム13の先端部に回動可能に接続した下腿ボトム14の基端部よりも反足先部側としている。
【００４４】
そのため、上記マットレス１では、上下腿ボトム13,14を起倒可能としたリクライニングベッド2においても下腿ボトム14の基端部よりも足先部側での歪みの発生を確実に防止することができる。
【符号の説明】
【００４５】
１  マットレス                      ２  リクライニングベッド
３  基台                            ４  受台
５  メインフレーム                  6,7  脚体
８  ヘッドボード                    ９  フットボード
10  背ボトム                        11  回転軸
12  尻ボトム                        13  上腿ボトム
14  下腿ボトム                      15  外カバー
16  上層側マットレス構成体          17  下層側マットレス構成体
18  連結体                          19  上層側内カバー
20  上層側上マット                  21  上層側下マット
22  スリット                        23  下層側内カバー
24  下層側マット                    25  スリット
26  連結片                          27  連結片
28  ファスナー
101  リクライニングベッド           102  基台
103  背ボトム                       104,105,106  マットレス
【要約】      （修正有）【課題】リクライニングベッドの背ボトムの起立時に腹部を圧迫して不快感を与えてしまうのを防止できるマットレスを提供する。【解決手段】背ボトムを起倒可能としたリクライニングベッド２で用いるマットレス１において、上層側マットレス構成体１６と下層側マットレス構成体１７とを上下に層状に積層するとともに、上層側マットレス構成体１６の左右側部と下層側マットレス構成体１７の左右側部とを頭頂部から所定距離離れた位置と足先部から所定距離離れた位置との間で連結することにした。特に、上層側マットレス構成体１６と下層側マットレス構成体１７とを切離可能に連結することにした。また、頭頂部から所定距離離れた位置は、背ボトムの１０基端部よりも頭頂部側とすることにした。また、足先部から所定距離離れた位置は、起倒可能な上腿ボトムの先端部に回動可能に接続した下腿ボトムの基端部よりも反足先部側とすることにした。【選択図】図５【図１】
0005138081.tif 000002
【図２】
0005138081.tif 000003
【図３】
0005138081.tif 000004
【図４】
0005138081.tif 000005
【図５】
0005138081.tif 000006
【図６】
0005138081.tif 000007